(57)【要約】【課題】外装枠の分離した枠辺部分が良好に嵌合され、外装枠の電池厚み方向の寸法を短縮して薄型化することができるとともに、外観品位が良好である電池パックを提供する。【解決手段】電池パック１は、素電池２と、素電池２の四側面を覆う第１外装枠半体９及び第２外装枠半体１０とを備える。第１外装枠半体９を素電池２の一側面に嵌め合わせ、第２外装枠半体１０を他側面に嵌め合わせ、接合部９ｄと接合部１０ｃとを係止させることにより第１外装枠半体９と第２外装枠半体１０とが一体化される。接合部９ｄ，１０ｃは、側面被覆部９ｂ，１０ｂの電池厚み方向の端部から他方の側面被覆部１０ｂ，９ｂに向かう張出部と、該張出部の端部から前記電池厚み方向の中央部に向かうように突設された突設部とを備え、側面被覆部９ｂ，１０ｂは、互いの突設部に係止される状態で接合される。【選択図】図１
2009043662.tif 000002
【特許請求の範囲】
【請求項１】
二平面及び四側面を有する直方体状をなす素電池と、
該素電池の四側面を覆う枠体であり、１又は２の枠辺の中途部に、分離した枠辺部分の対向する端部同士を接合する接合構造を有する外装枠と
を備える電池パックにおいて、
前記接合構造は、
各枠辺部分の電池厚み方向の端部から他方の枠辺部分に向かう張出部と、
該張出部の端部から前記電池厚み方向の中央部に向かうように突設された突設部と
を備え、
各枠辺部分が、互いの突設部に係止される状態で接合されるように構成されていることを特徴とする電池パック。
【請求項２】
各突設部は、前記電池厚み方向の端部に、各枠辺部分の該電池厚み方向の離隔を抑制する凸部を有する請求項１に記載の電池パック。
【請求項３】
各突設部は、前記電池厚み方向の中央部側が端部側より幅広となるように、他方の枠辺部分の突設部に向かう辺が傾斜している請求項１に記載の電池パック。
【請求項４】
各突設部は、他方の突設部に係止される側と反対側に突き出した突出部を備え、
他方の枠辺部分は、前記突出部を係止する係止部を備える請求項１乃至３のいずれかに記載の電池パック。
【請求項５】
厚みが４ｍｍ未満である請求項１乃至４のいずれかに記載の電池パック。
【発明の詳細な説明】
【技術分野】
【０００１】
本発明は、ビデオカメラ，モバイルコンピュータ，携帯電話機等の主として携帯電子機器の電源として利用される充放電可能な非水電解質二次電池等の二次電池の側面を絶縁性の外装体で覆ってなる電池パックに関する。
【背景技術】
【０００２】
近年、急速に普及しているビデオカメラ、モバイルコンピュータ、携帯電話機等の携帯電子機器の電源としては、充放電可能な直方体状の非水電解質二次電池、例えばリチウムイオン二次電池等が主として用いられている。リチウムイオン二次電池（素電池）は、正極及び負極をセパレータを介して巻回した電極群、及び非水電解質を、アルミニウム又はアルミニウム合金製であり、直方体状をなすケースに収納して構成される。
【０００３】
この素電池の一側面に、過充電及び過放電を防止するために電池電圧を制御する保護回路、及び素電池から外部へ電力を取り出し、又は外部から電力を取り込むための出力端子を有する保護回路基板を配置することにより電池コアが構成される。保護回路基板と素電池との間は接続用のリード板により電気的に接続されている。
電池コアの側面を絶縁性を有する、例えば合成樹脂製の外装枠で覆い、さらに素電池の二平面と、外装枠とをラベルで覆うことで電池パックが得られ、この電池パックが携帯電子機器に装着される。
【０００４】
図８は、特許文献１等に記載された従来の電池パック２５を示す斜視図、図９は電池パック２５を示す分解斜視図、図１０は、ラベル２７を貼着する前の電池パック２５を示す斜視図である。
電池パック２５の素電池１２は角型平板状をなし、例えばリチウムイオン二次電池等の非水電解質二次電池であり、正極及び負極をセパレータを介して巻回した電極群、並びに非水電解質を、アルミニウム又はアルミニウム合金製のケースに収納してなる。素電池１２の第１側面１２ａには、絶縁板（図示せず）を介して負極端子１２ｂが設けられ、これに平行な第２側面１２ｃには、リード取付板（図示せず）が設けられている。負極端子１２ｂが設けられた部分以外の素電池１２の全体が正極（端子）とされる。
【０００５】
素電池１２の第１側面１２ａに隣接する第３側面１２ｄには、絶縁テープ１３及び絶縁性を有するスペーサ１４を介し、保護回路基板１５が配されている。
保護回路基板１５は、平面視が略矩形状をなし、裏面に、素電池１２の過充電又は過放電等を防止するための保護回路を実装し、該保護回路を絶縁性の合成樹脂で覆ってなる保護回路実装部１５ａを備えている。また、保護回路基板１５の表面の中央部より一端部寄りには、素電池１２の外部へ電力を取り出し、逆に充電のために外部から電力を取り込むための正負極、及び温度端子である出力端子１５ｂ，１５ｂ，１５ｂが、金メッキにより並設されている。
【０００６】
前記保護回路基板１５は、一端部に形成したパッド（図示せず）が、第１リード１７を介してＰＴＣ（Positive Temperature Coefficient)素子１６の素子本体１６ａの裏面に接続されたリード１６ｂと接続され、素子本体１６ａの表面に接続されたリード１６ｃは、負極端子１２ｂと接続されている。
保護回路基板１５の他端部に形成したパッド（図示せず）は、第２リード板１８及びリード取付板を介して素電池１２の第２側面１２ｃと接続されている。
【０００７】
合成樹脂製の第１外装枠半体１９は、保護回路基板１５を覆う基板被覆部１９ａと、素電池１２の第１側面１２ａ及び第２側面１２ｃをそれぞれ覆う側面被覆部１９ｂ，１９ｂとを備える。基板被覆部１９ａの中央部より一端部寄りには、保護回路基板１５の出力端子１５ｂ，１５ｂ，１５ｂを露出させるための窓部１９ｃ，１９ｃ，１９ｃが設けられている。
第２側面１２ｃ側の側面被覆部１９ｂ、第１側面１２ａ側の側面被覆部１９ｂの長手方向の端部には、それぞれ係止凸部１９ｅ、係止凹部１９ｄが設けられている。
【０００８】
第２外装枠半体２０は、素電池１２の第４側面１２ｅを覆う側面被覆部２０ａと、第１側面１２ａ，第２側面１２ｃを覆う側面被覆部２０ｂ，２０ｂとを備える。第１側面１２ａ側の側面被覆部２０ｂ、第２側面１２ｃ側の側面被覆部２０ｂの長手方向の端部には、それぞれ係止凸部２０ｃ、係止凹部２０ｄが設けられている。側面被覆部２０ａには、ロット表示ラベル２８が貼着されている。
【０００９】
そして、固定テープ２６を素電池１２の第１側面１２ａ、第２側面１２ｃ、及び第４側面１２ｅに沿わせて貼着した後、前記保護回路基板１５を覆うように、第１外装枠半体１９を素電池１２に嵌め合わせ、第４側面１２ｅを覆うように第２外装枠半体２０を嵌め合わせ、係止凸部１９ｅ，２０ｃと係止凹部２０ｄ，１９ｄとを係止させることにより第１外装枠半体１９と第２外装枠半体２０とが一体化される。
素電池１２の両平面、並びに第１外装枠半体１９及び第２外装枠半体２０により覆われた素電池１２の側面に合成樹脂製のラベル２７が貼着されて、電池パック２５が構成される。
【００１０】
図１１は、係止凸部２０ｃと係止凹部１９ｄとの嵌合状態を示す一部拡大側面図である。
側面被覆部２０ｂの係止凸部２０ｃは、基端部２０ｅと該基端部２０ｅに連設された傘状部２０ｄとからなり、全体として矢印状をなす。側面被覆部１９ｂの係止凹部１９ｄは、係止凸部２０ｃに対応する形状を有する。
図１１に示されるように、側面被覆部１９ｂ及び側面被覆部２０ｂの電池厚み方向の寸法は、側面被覆部１９ｂの前記厚み方向の両端部から傘状部２０ｄの端部までの寸法Ｈ1  、Ｈ2 と、基端部２０ｅの前記厚み方向の寸法Ｈ4 と、傘状部２０ｄの端部から基端部２０ｅの端部までの突出部分の寸法Ｈ3 、Ｈ5 とを加算したものである。
【００１１】
前記側面被覆部１９ｂ及び側面被覆部２０ｂの電池厚み方向の寸法を小さくする場合、前記Ｈ1 、Ｈ2 は、電池パック２５の外形のＲ（アール）に対応するため、前記Ｒが固定されたとき、前記Ｈ1 、Ｈ2 を短くすることはできない。
従って、Ｈ3 、Ｈ4 、及びＨ5 を短くすることになる。突出部分の寸法Ｈ3 及びＨ5 を短くした場合、側面被覆部１９ｂと側面被覆部２０ｂとの嵌合力が小さくなり、側面被覆部１９ｂと側面被覆部２０ｂとを側面被覆部１９ｂ等の長手方向に引っ張った場合に、係止凸部２０ｃと係止凹部１９ｄとが容易に離隔するおそれがある。また、Ｈ4 を短くした場合、強度が低下し、射出成形時における離型時に変形するおそれがある。
上述した問題を解消するためには、Ｈ1 、Ｈ2 、及びＨ4 の寸法を最低１ｍｍとし、Ｈ3 、Ｈ5 の寸法を最低０．５ｍｍとする必要があり、合計で最低４ｍｍの寸法が必要となる。
従って、電池パック２５の厚みを４ｍｍ以下にすることができず、電池パック２５の薄型化に対応することができないという問題がある。
【００１２】
図１２は、従来の他の電池パック４０を示す斜視図、図１３は、ラベルを貼着する前の電池パック４０を示す斜視図である。図中、図８及び図９と同一部分は同一符号を付して詳細な説明を省略する。
電池パック４０の合成樹脂製の第１外装枠半体２９は、保護回路基板１５を覆う基板被覆部２９ａと、素電池１２の第１側面１２ａ及び第２側面１２ｃをそれぞれ覆う側面被覆部２９ｂ，２９ｂとを備える。基板被覆部２９ａの中央部より一端部寄りには、保護回路基板１５の出力端子１５ｂ，１５ｂ，１５ｂを露出させるための窓部２９ｃ，２９ｃ，２９ｃが設けられている。
側面被覆部２９ｂ，２９ｂの長手方向の端部には、それぞれ矩形の係止口２９ｄ，２９ｄが設けられている。
【００１３】
第２外装枠半体３０は、素電池１２の第４側面１２ｅを覆う側面被覆部３０ａと、第１側面１２ａ，第２側面１２ｃの端部を覆う側面被覆部３０ｂ，３０ｂとを備える。側面被覆部３０ｂ，３０ｂの長手方向の端部には、それぞれ外側に突出した板状の凸部３０ｃ，３０ｃが設けられている。
【００１４】
そして、前記保護回路基板１５を覆うように、第１外装枠半体２９を素電池１２に嵌め合わせ、素電池１２の第４側面１２ｅを覆うように第２外装枠半体３０を嵌め合わせ、側面被覆部２９ｂ，２９ｂの端部を凸部３０ｃ，３０ｃに嵌合することで、側面被覆部２９ｂ，２９ｂと、側面被覆部３０ｂ，３０ｂとがそれぞれ連結される。
【００１５】
図１４は、側面被覆部２９ｂと側面被覆部３０ｂとの嵌合状態を示す一部拡大側面図である。
図１４に示されるように、側面被覆部２９ｂ及び側面被覆部３０ｂの電池厚み方向の寸法は、側面被覆部２９ｂの電池厚み方向の両端部から係止口２９ｄの縁部までの寸法Ｍ1 、Ｍ2 と、係止口２９ｄの前記厚み方向の寸法Ｍ3 とを加算したものである。
【００１６】
この電池パック４０の場合、係止口２９ｄに凸部３０ｃを嵌め入れるように構成されており、上述した電池パック２５と比較すると、パーツの数が少なく、構造が簡単であるので、４ｍｍ未満という電池パックの薄型化に対応することはできる。
しかし、側面被覆部２９ｂと側面被覆部３０ｂとの嵌合を、電池パック２５のように固定テープ２６により固定することができないため、ラベルを巻き付けるときに、嵌合部分が浮き上がり、ラベルにしわが生じたり、異物感を呈したりするため、外観品位が低下するという問題があった。
また、側面被覆部２９ｂと側面被覆部３０ｂとを重ねた状態で嵌合するので、重ね合わせた分、厚みが厚くなり、電池パック４０の幅方向（電池パック４０の長手方向）の寸法を短くすることができないという問題があった。
【特許文献１】特開２００６−１６４５７９号公報
【発明の開示】
【発明が解決しようとする課題】
【００１７】
上述したように、従来の電池パックにおいては、外装枠の電池厚み方向の寸法を短くすることに限界があり、電池パックの薄型化に対応することができないという問題があり、また、外観品位が悪く、電池パックの幅方向の寸法を短くすることができないという問題があった。
【００１８】
本発明は斯かる事情に鑑みてなされたものであり、外装枠の枠辺の各枠辺部分の端部が鍵の手状をなし、互いの突設部に係止させて各枠辺部分を嵌合するように構成することにより、外装枠の電池厚み方向の寸法を短縮することができるとともに、外観品位が良好である電池パックを提供することを目的とする。
【００１９】
また、本発明は、各突設部が電池厚み方向の端部に凸部を有するように構成することにより、電池厚み方向に嵌合が外れるのが抑制される電池パックを提供することを目的とする。
【００２０】
そして、本発明は、各突設部の対向する辺が傾斜するように構成することにより、各枠辺部分を電池厚み方向の外側へ引っ張る力が加わった場合に、応力が嵌合部分の中央部へ集中し、嵌合部分の変形が抑制され、嵌合力が向上する電池パックを提供することを目的とする。
【００２１】
さらに、本発明は、各突設部は、他方の突設部に係止される側と反対側に突き出した突出部を備え、他方の枠辺部分は、突出部を係止する係止部を備えるように構成することにより、各枠辺部分を電池厚み方向の外側へ引っ張る力が加わった場合に、嵌合が外れるのが抑制される電池パックを提供することを目的とする。
【００２２】
また、本発明は、良好な嵌合力を有するので、厚みを４ｍｍ未満にすることができるとともに、良好な外観品位を有する電池パックを提供することを目的とする。
【課題を解決するための手段】
【００２３】
第１発明に係る電池パックは、二平面及び四側面を有する直方体状をなす素電池と、該素電池の四側面を覆う枠体であり、１又は２の枠辺の中途部に、分離した枠辺部分の対向する端部同士を接合する接合構造を有する外装枠とを備える電池パックにおいて、前記接合構造は、各枠辺部分の電池厚み方向の端部から他方の枠辺部分に向かう張出部と、該張出部の端部から前記電池厚み方向の中央部に向かうように突設された突設部とを備え、各枠辺部分が、互いの突設部に係止される状態で接合されるように構成されていることを特徴とする。
【００２４】
本発明においては、枠辺部分の端部が鍵の手状をなし、互いの突設部に係止させて枠辺部分同士を嵌合するので、外装枠の電池厚み方向の寸法を、各突設部が電池厚み方向に重なり合う寸法分、短縮することができる。従って、電池パックの薄型化が図られる。
そして、枠辺部分の接合部分は重なり合わず、外側に突出しないので、枠辺部分に直交する方向の電池パックの幅を短くすることができる。
また、電池の側面に当接した状態で各枠辺部分を嵌合し、固定テープを介して固定することで、ラベルを巻き付けるときにラベルが浮き上がらず、ラベルにしわが生じたり、異物感を呈したりして外観品位が低下することが抑制されている。
【００２５】
第２発明に係る電池パックは、第１発明において、各突設部は、前記電池厚み方向の端部に、各枠辺部分の該電池厚み方向の離隔を抑制する凸部を有することを特徴とする。
【００２６】
本発明においては、凸部を有するので、電池厚み方向に嵌合が外れるのが抑制される。      
【００２７】
第３発明に係る電池パックは、第１発明において、各突設部は、前記電池厚み方向の中央部側が端部側より幅広となるように、他方の枠辺部分の突設部に向かう辺が傾斜していることを特徴とする。
【００２８】
本発明においては、各枠辺部分を前記電池厚み方向の外側へ引っ張る力が加わった場合に、応力が嵌合部分の中央部へ集中し、嵌合部分が変形するのが抑制される。
【００２９】
第４発明に係る電池パックは、各突設部は、他方の突設部に係止される側と反対側に突き出した突出部を備え、他方の枠辺部分は、前記突出部を係止する係止部を備えることを特徴とする。
【００３０】
本発明においては、各枠辺部分を電池厚み方向の外側へ引っ張る力が加わった場合に、嵌合が外れるのが抑制される。
【００３１】
第５発明に係る電池パックは、厚みが４ｍｍ未満であることを特徴とする。
【００３２】
本発明においては、第１乃至第４発明のいずれかの接合構造を有し、良好な嵌合力を有するので、枠辺の電池厚み方向の寸法を短くすることができ、厚みが４ｍｍ未満であり、しかも良好な外観品位を有する電池パックが実現され得る。
【発明の効果】
【００３３】
第１発明によれば、枠辺部分の端部が鍵の手状をなし、互いの突設部に係止させて各枠辺部分を嵌合するように構成されているので、外装枠の電池厚み方向の寸法を、各突設部が重なり合う寸法分、短縮することができる。従って、電池パックの薄型化に対応することができる。
そして、枠辺部分の接合部分は重なり合わず、外側に突出しないので、枠辺部分に直交する方向の電池パックの幅を短くすることができる。
また、電池の側面に当接した状態で、各枠辺部分を嵌合し、固定テープを介して固定することで、枠辺部分の接合が安定するので、ラベルを巻き付けるときに、ラベルが浮き上がらず、ラベルにしわが生じたり、異物感を呈したりすることがなく、外観品位が良好である。
【００３４】
第２発明によれば、各突設部は、電池厚み方向の端部に、各枠辺部分の電池厚み方向の離隔を抑制する凸部を有するので、電池厚み方向に嵌合が外れるのが抑制される。
【００３５】
第３発明によれば、各突設部の、他方の枠辺部分の突設部に向かう辺が傾斜しているので、各枠辺部分を電池厚み方向の外側へ引っ張る力が加わった場合に、応力が嵌合部分の中央部へ集中し、嵌合部分の変形が抑制され、嵌合力が向上する。
【００３６】
第４発明によれば、各突設部は、他方の突設部に係止される側と反対側に突き出した突出部を備え、他方の枠辺部分は、突出部を係止する係止部を備えるので、各枠辺部分を電池厚み方向の外側へ引っ張る力が加わった場合に、嵌合が外れない。
【００３７】
第５発明によれば、良好な嵌合力を有するので、枠辺の電池厚み方向の寸法を短くすることができ、厚みが４ｍｍ未満であり、しかも良好な外観品位を有する電池パックが実現され得る。
【発明を実施するための最良の形態】
【００３８】
以下、本発明をその実施の形態を示す図面に基づいて詳述する。
実施の形態１．
図１は、本発明の実施の形態１に係る電池パック１を示す斜視図、図２は、電池パック１を示す分解斜視図である。図１及び図２において、電池２の平面及び側面に巻き付けるラベルは省略している。
本実施の形態の電池パック１は携帯電話機の電源として用いられる。
電池パック１の素電池２は角型平板状をなし、例えばリチウムイオン二次電池等の非水電解質二次電池であり、正極及び負極をセパレータを介して巻回した電極群、並びに非水電解質を、アルミニウム又はアルミニウム合金製のケースに収納してなる。素電池２の第１側面２１には、絶縁板（図示せず）を介して負極端子２ａが設けられ、これに平行な第２側面２２には、リード取付板（図示せず）が設けられている。負極端子２ａが設けられた部分以外の素電池２の全体が正極（端子）とされる。
【００３９】
素電池２の第１側面２１に隣接する第３側面２３には、絶縁テープ（図示せず）及び絶縁性を有するスペーサ４を介し、保護回路基板５が配されている。
保護回路基板５は、平面視が略矩形状をなし、裏面に、素電池２の過充電又は過放電等を防止するための保護回路を実装し、該保護回路を絶縁性の合成樹脂で覆ってなる保護回路実装部５１を備えている。また、保護回路基板５の表面の中央部より一端部寄りには、素電池２の外部へ電力を取り出し、逆に充電のために外部から電力を取り込むための正負極、及び温度端子である出力端子５２，５２，５２が、金メッキにより並設されている。
【００４０】
前記保護回路基板５は、一端部に形成したパッド（図示せず）が、第１リード７を介してＰＴＣ素子６の裏面に接続されたリードと接続され、ＰＴＣ素子６の表面に接続されたリードは前記負極端子２ａと接続されている。
保護回路基板５の他端部に形成したパッド（図示せず）は、第２リード及びリード取付板を介して素電池２の第２側面２２と接続されている。
【００４１】
合成樹脂製の第１外装枠半体９は、保護回路基板５を覆う基板被覆部９ａと、素電池２の第１側面２１及び第２側面２２をそれぞれ覆う側面被覆部９ｂ，９ｂとを備える。基板被覆部９ａの中央部より一端部寄りには、保護回路基板５の出力端子５２，５２，５２を露出させるための窓部９ｃ，９ｃ，９ｃが設けられている。
第１側面２１，第２側面２２側の側面被覆部９ｂ，９ｂの長手方向の端部には、それぞれ接合部９ｄ，９ｄが設けられている。
【００４２】
第２外装枠半体１０は、素電池２の第４側面２４を覆う側面被覆部１０ａと、第１側面２１，第２側面２２を覆う側面被覆部１０ｂ，１０ｂとを備える。側面被覆部１０ｂ，１０ｂの長手方向の端部には、それぞれ接合部１０ｃ，１０ｃが設けられている。
【００４３】
そして、固定テープ３を素電池２の第１側面２１、第２側面２２、及び第４側面２４に沿わせて貼着した後、前記保護回路基板５を覆うように、第１外装枠半体９を素電池２に嵌め合わせ、第４側面２４を覆うように第２外装枠半体１０を嵌め合わせ、接合部９ｄ，９ｄと接合部１０ｃ，１０ｃとをそれぞれ係止させることにより第１外装枠半体９と第２外装枠半体１０とが一体化される。
さらに、素電池２の両平面、並びに第１外装枠半体９及び第２外装枠半体１０により覆われた素電池２の側面に合成樹脂製のラベルが貼着される。
【００４４】
図３は、接合部９ｄと接合部１０ｃとの接合状態を示す一部拡大側面図である。
接合部９ｄは、側面被覆部１０ｂに向かう張出部９ｅと、該張出部９ｅの端部から電池厚み方向の中央部に向かうように突設された突設部９ｆと、該突設部９ｆの前記厚み方向端部に設けられた凸部９ｇと、突設部１０ｆに係止される側と反対側に突き出した突出部９ｈと、後述する突出部１０ｈを係止する係止部９ｉと、突出部１０ｈを嵌合させる嵌合部９ｊとを備える。
凸部９ｇは、突設部９ｆの突設部１０ｆに向かう辺が、末広がりに傾斜するように形成されている。この傾斜の角度は、５°以上４５°以下であるのが好ましい。
【００４５】
接合部１０ｃは、側面被覆部９ｂに向かう張出部１０ｅと、該張出部１０ｅの端部から前記厚み方向の中央部に向かうように突設された突設部１０ｆと、該突設部１０ｆの前記厚み方向端部に設けられた凸部１０ｇと、突設部９ｆに係止される側と反対側に突き出した突出部１０ｈと、突出部９ｈを係止する係止部１０ｉと、突出部９ｈを嵌合させる嵌合部１０ｊとを備える。
凸部１０ｇは、突設部１０ｆの突設部９ｆに向かう辺が、末広がりに傾斜するように形成されている。この傾斜の角度は、５°以上４５°以下であるのが好ましい。
【００４６】
本実施の形態においては、上述したように、突設部９ｆと突設部１０ｆとが当接する辺が傾斜しており、凸部９ｇ，１０ｇが形成されているので、側面被覆部９ｂ，１０ｂを該側面被覆部９ｂ，１０ｂの長手方向に、又は前記厚み方向の外側へ引っ張る力が加わった場合に、応力が接合部分の中央部へ集中し、接合部分が変形するのが抑制される。
また、接合部９ｄ，１０ｃは、突出部９ｈ，１０ｈと、該突出部１０ｈ，９ｈを嵌合する嵌合部９ｊ，１０ｊと、該突出部１０ｈ，９ｈを係止する係止部９ｉ，１０ｉとを備えるので、側面被覆部９ｂ，１０ｂを前記厚み方向の外側へ引っ張る力が加わった場合に、嵌合部分が変形しても嵌合が外れない。
【００４７】
図３に示されるように、側面被覆部９ｂ及び側面被覆部１０ｂの電池厚み方向の寸法は、前記係止部９ｉの前記厚み方向の寸法Ｌ1 、前記係止部１０ｉの前記厚み方向の寸法Ｌ2 、及び係止部９ｉの中央部側端部と係止部１０ｉの中央部側端部との間隔Ｌ3 の和である。
【００４８】
前記Ｌ1 、Ｌ2 は、電池パック１の外形のＲ（アール）に対応するため、最低１ｍｍは必要である。
本実施の形態においては、接合部９ｄ，１０ｃが鍵の手状をなし、突設部９ｆと突設部１０ｆとを互いに係止させて接合部９ｄを接合部１０ｃに嵌合するので、側面被覆部９ｂ，１０ｂの電池厚み方向の寸法を、突設部９ｆと突設部１０ｆとが当接する部分（重なる部分）の寸法だけ従来の電池パックより短くすることができる。
加えて、上述したように、嵌合が外れにくいように構成されているので、Ｌ3 を１ｍｍ程度まで短くすることができる。
従って、Ｌ1 、Ｌ2 、及びＬ3 の総和を略３ｍｍにすることができ、電池パック１の厚みを４ｍｍ未満に薄型化することができる。
【００４９】
また、側面被覆部９ｂと側面被覆部１０ｂとの接合部分は重なり合わず、外側に突出しないので、電池パック１の長手方向の幅も短くすることができる。
しかも、本実施の形態においては、素電池２の第１側面２１及び第２側面２２に当接された状態で、側面被覆部９ｂ，９ｂと側面被覆部１０ｂ，１０ｂとの接合が固定テープ３を介して完全に固定されるので、ラベルを巻き付けるときに、ラベルが浮き上がらず、ラベルにしわが生じたり、異物感を呈したりして、外観品位が低下するのが抑制されている。
【００５０】
実施の形態２．
図４は、本発明の実施の形態２に係る電池パック３１を示す一部側面図である。図中、図３と同一部分は同一符号を付して、詳細な説明は省略する。
この電池パック３１においては、実施の形態１の電池パック１に係る突出部９ｈ，１０ｈ、係止部９ｉ，１０ｉ、及び嵌合部９ｊ，１０ｊを有していない。
本実施の形態においては、突設部９ｆ，１０ｆに、該突設部９ｆと突設部１０ｆとが当接する辺が傾斜するように凸部９ｇ，１０ｇが設けられているので、側面被覆部９ｂ，１０ｂを長手方向へ、又は前記厚み方向の外側へ引っ張る力が加わった場合に、嵌合が外れるのが抑制されている。本実施の形態においては嵌合が良好であるので、側面被覆部９ｂ，１０ｂの前記厚み方向の厚みを薄くし、電池パック３１を薄型化することができる。
また、本実施の形態においては、素電池の側面に当接する状態で、側面被覆部９ｂと側面被覆部１０ｂとの接合が固定テープを介して固定されるので、素電池にラベルを巻き付けるときに、ラベルが浮き上がらず、外観品位が良好である。
【００５１】
実施の形態３．
図５は、本発明の実施の形態３に係る電池パック３２を示す一部側面図である。図中、図３と同一部分は同一符号を付して、詳細な説明は省略する。
この電池パック３２においては、実施の形態１の電池パック１に係る突出部９ｈ，１０ｈ、係止部９ｉ，１０ｉ、及び嵌合部９ｊ，１０ｊを有していない。
本実施の形態においては、突設部９ｆ，１０ｆの端部に、突設部１０ｆ，９ｆに向かい、平面視が矩形状をなす凸部９ｇ，１０ｇが設けられている。この凸部９ｇと凸部１０ｇとが互いに係止されるので、側面被覆部９ｂ，１０ｂを長手方向へ、又は前記厚み方向の外側へ引っ張る力が加わった場合に、嵌合が外れるのが抑制されている。本実施の形態においては嵌合が良好であるので、側面被覆部９ｂ，１０ｂの前記厚み方向の厚みを薄くし、電池パック３２を薄型化することができる。
また、本実施の形態においては、素電池の側面に当接する状態で、側面被覆部９ｂと側面被覆部１０ｂとの接合が固定テープを介して固定されるので、素電池にラベルを巻き付けるときに、ラベルが浮き上がらず、外観品位が良好である。
【００５２】
実施の形態４．
図６は、本発明の実施の形態４に係る電池パック３３を示す一部側面図である。図中、図３と同一部分は同一符号を付して、詳細な説明は省略する。
この電池パック３３においては、実施の形態１の電池パック１に係る凸部９ｇ，１０ｇを有していない。
本実施の形態においては、突出部９ｈ，１０ｈが係止部１０ｉ，９ｉに係止されているので、側面被覆部９ｂ，１０ｂを前記厚み方向の外側へ引っ張る力が加わった場合に、嵌合が外れるのが抑制されている。本実施の形態においては嵌合が良好であるので、側面被覆部９ｂ，１０ｂの前記厚み方向の厚みを薄くし、電池パック３３を薄型化することができる。
また、本実施の形態においては、素電池の側面に当接する状態で、側面被覆部９ｂと側面被覆部１０ｂとの接合が固定テープを介して固定されるので、素電池にラベルを巻き付けるときに、ラベルが浮き上がらず、外観品位が良好である。
【００５３】
実施の形態５．
図７は、本発明の実施の形態５に係る電池パック３４を示す一部側面図である。図中、図３と同一部分は同一符号を付して、詳細な説明は省略する。
この電池パック３４においては、突出部９ｈ，１０ｈと、係止部１０ｉ，９ｉとが対向する辺が傾斜している。
本実施の形態においては、突出部９ｈ，１０ｈが、係止部１０ｉ，９ｉに係止されているので、側面被覆部９ｂ，１０ｂを前記厚み方向の外側へ引っ張る力が加わった場合に、嵌合が外れるのが抑制されている。本実施の形態においては嵌合が良好であるので、側面被覆部９ｂ，１０ｂの前記厚み方向の薄型化が図られ、電池パック３４の薄型化が図られる。
また、本実施の形態においては、素電池の側面に当接する状態で、側面被覆部９ｂと側面被覆部１０ｂとの接合が固定テープを介して固定されるので、ラベルを巻き付けるときに、ラベルが浮き上がらず、外観品位が良好である。
【００５４】
なお、前記実施の形態１乃至５においては、電池パックの外装枠が２箇所の接合部分を有する場合につき説明しているがこれに限定されるものではなく、外装枠が１箇所の接合部分を有する電池パックにおいて、本発明の接合構造を適用することにしてもよい。
また、前記実施の形態１乃至５においては、素電池がリチウムイオン二次電池である場合につき説明しているがこれに限定されるものではない。
そして、前記実施の形態１乃至５においては、電池パックが携帯電話機の電源として用いられる場合につき説明しているがこれに限定されるものではなく、本発明は、ビデオカメラ、モバイルコンピュータ、ＰＤＡ(Personal Digital Assistants)、ＭＰ３プレーヤー等の他の携帯電子機器の電源として用いられる電池パックにも適用することができる。
【図面の簡単な説明】
【００５５】
【図１】本発明の実施の形態１に係る電池パックを示す斜視図である。
【図２】電池パックを示す分解斜視図である。
【図３】接合部の接合状態を示す一部拡大側面図である。
【図４】本発明の実施の形態２に係る電池パックを示す一部側面図である。
【図５】本発明の実施の形態３に係る電池パックを示す一部側面図である。
【図６】本発明の実施の形態４に係る電池パックを示す一部側面図である。
【図７】本発明の実施の形態５に係る電池パックを示す一部側面図である。
【図８】特許文献１等に記載された従来の電池パックを示す斜視図である。
【図９】電池パックを示す分解斜視図である。
【図１０】ラベルを貼着する前の電池パックを示す斜視図である。
【図１１】係止凸部と係止凹部との嵌合状態を示す一部拡大側面図である。
【図１２】従来の他の電池パックを示す斜視図である。
【図１３】ラベルを貼着する前の電池パックを示す斜視図である。
【図１４】側面被覆部の嵌合状態を示す一部拡大側面図である。
【符号の説明】
【００５６】
１、３１、３２、３３、３４  電池パック
２  素電池
２ａ  負極端子
２１  第１側面
２２  第２側面
２３  第３側面
２４  第４側面
３  固定テープ
４  スペーサ
５  保護回路基板
５１  保護回路実装部
５２  出力端子
６  ＰＴＣ素子
７  第１リード
８  第２リード
９  第１外装枠半体
９ａ  基板被覆部
９ｂ、１０ａ、１０ｂ  側面被覆部
９ｃ  窓部
９ｄ、１０ｃ  接合部
９ｅ、１０ｅ  張出部
９ｆ、１０ｆ  突設部
９ｇ、１０ｇ  凸部
９ｈ、１０ｈ  突出部
９ｉ、１０ｉ  係止部
９ｊ、１０ｊ  嵌合部
１０  第２外装枠半体
【図１】
2009043662.tif 000003
【図２】
2009043662.tif 000004
【図３】
2009043662.tif 000005
【図４】
2009043662.tif 000006
【図５】
2009043662.tif 000007
【図６】
2009043662.tif 000008
【図７】
2009043662.tif 000009
【図８】
2009043662.tif 000010
【図９】
2009043662.tif 000011
【図１０】
2009043662.tif 000012
【図１１】
2009043662.tif 000013
【図１２】
2009043662.tif 000014
【図１３】
2009043662.tif 000015
【図１４】
2009043662.tif 000016